(57)【要約】【課題】被記録媒体を間欠搬送可能な粘着性ベルトの洗浄部を複数備える記録装置において、被記録媒体の間欠搬送に伴う粘着性ベルトの偏摩耗を抑制する。【解決手段】被記録媒体Ｐを載置させる粘着性ベルト１０を有し、被記録媒体Ｐを間欠搬送可能な搬送機構３と、粘着性ベルト１０の移動方向の上流側から下流側に向かって複数設けられ、粘着性ベルト１０を洗浄する洗浄部１３ａ、１３ｂと、を備え、洗浄部１３ａ、１３ｂ間の距離は、被記録媒体Ｐの間欠搬送に伴う１回あたりの搬送距離Ｌ０〜Ｌ４と異なるうえ、被記録媒体Ｐの複数回の間欠搬送に伴ういずれの累積搬送距離とも異なる。【選択図】図１
2014185029.tif 000002
【特許請求の範囲】
【請求項１】
被記録媒体を載置させる粘着性ベルトを有し、前記被記録媒体を間欠搬送可能な搬送機構と、
前記粘着性ベルトの移動方向の上流側から下流側に向かって複数設けられ、前記粘着性ベルトを洗浄する洗浄部と、を備え、
前記洗浄部間の距離は、前記被記録媒体の間欠搬送に伴う１回あたりの搬送距離と異なるうえ、前記被記録媒体の複数回の間欠搬送に伴ういずれの累積搬送距離とも異なることを特徴とする記録装置。
【請求項２】
請求項１に記載の記録装置において、
前記搬送機構は、前記被記録媒体を前記間欠搬送に伴う１回あたりの搬送距離として予め定められた１つの搬送距離で搬送可能であり、
前記洗浄部間の距離は、前記１つの搬送距離の非整数倍であることを特徴とする記録装置。
【請求項３】
請求項１に記載の記録装置において、
前記搬送機構は、前記被記録媒体を前記間欠搬送に伴う１回あたりの搬送距離として予め定められた複数の搬送距離で搬送可能であり、
前記洗浄部間の距離は、前記複数の搬送距離各々と異なるうえ、前記複数の搬送距離の何れの累積搬送距離とも異なることを特徴とする記録装置。
【請求項４】
請求項３に記載の記録装置において、
前記搬送機構による前記複数の搬送距離に応じて、前記粘着性ベルトの洗浄の際に使用する洗浄部の数を変更可能であることを特徴とする記録装置。
【請求項５】
請求項１から４のいずれか１項に記載の記録装置において、
前記洗浄部間の距離を変更可能な前記洗浄部の移動機構を備えることを特徴とする記録装置。
【請求項６】
請求項１から５のいずれか１項に記載の記録装置において、
前記洗浄部は、前記粘着性ベルトの移動方向と交差する交差方向に回転軸を有し、前記粘着性ベルトに当接して洗浄する洗浄ローラーであって、
複数の前記洗浄ローラーのうち少なくともいずれか１つは他と回転方向が逆であることを特徴とする記録装置。
【請求項７】
請求項１から６のいずれか１項に記載の記録装置において、
複数の前記洗浄部は、各々種類が異なることを特徴とする記録装置。
【請求項８】
請求項１から７のいずれか１項に記載の記録装置において、
前記洗浄部は、前記粘着性ベルトの移動方向と交差する交差方向に回転軸を有し、前記粘着性ベルトに当接して洗浄する洗浄ローラーであって、
複数の前記洗浄ローラー各々は、前記回転軸方向に複数のローラーが連結して構成され、
前記複数のローラーの連結部の前記交差方向における位置は、前記洗浄ローラー各々で、ずらして設けられていることを特徴とする記録装置。
【発明の詳細な説明】
【技術分野】
【０００１】
本発明は、被記録媒体を移動式ベルトに載置して搬送する搬送機構を備える記録装置に関する。
【背景技術】
【０００２】
従来から、被記録媒体を移動式ベルトに載置して搬送する搬送機構を備える記録装置が使用されている。このような記録装置のうち、移動式ベルトとして被記録媒体の載置面に該被記録媒体を剥離可能に接着して保持する粘着剤が塗られた粘着性ベルトを備える記録装置が開示されている。  
例えば、特許文献１には、被記録媒体を粘着固定して搬送する無端ベルトと該無端ベルトの周面が高分子多孔質体からなる洗浄ローラーを備える記録装置が開示されている。
【先行技術文献】
【特許文献】
【０００３】
【特許文献１】特開平１１−１９２６９４号公報
【発明の概要】
【発明が解決しようとする課題】
【０００４】
被記録媒体の搬送方向と交差する方向に記録ヘッドを往復走査させてインクを吐出して記録する記録装置においては、記録ヘッドの往復走査に対応して被記録媒体を搬送する必要があるので、被記録媒体の搬送は間欠搬送となる。  
しかしながら、このような構成の記録装置であって、粘着性ベルトの洗浄部が設けられた記録装置においては、被記録媒体の間欠搬送に伴い、該粘着性ベルトにおいて洗浄部による当接時間が長い部分（停止状態で洗浄部により洗浄される部分）と洗浄部による当接時間が短い部分（移動状態で洗浄部により洗浄される部分）とが発生していた。そのため、粘着性ベルトと洗浄部との当接時間の違いにより、粘着性ベルトにおける当接時間の長い部分の粘着剤が剥がれる偏摩耗をする場合があった。  
また、このような構成の記録装置において、粘着性ベルトの洗浄力を高めるために洗浄部を複数設けると、複数設けられる洗浄部の位置によっては、前記粘着性ベルトの移動方向の上流側（前段）の洗浄部により停止状態で洗浄される部分と下流側（後段）の洗浄部により停止状態で洗浄される部分とが重なる場合がある。このような場合、粘着性ベルトの偏摩耗が顕著になる場合があった。
【０００５】
そこで、本発明の目的は、被記録媒体を間欠搬送可能な粘着性ベルトの洗浄部を複数備える記録装置において、被記録媒体の間欠搬送に伴う粘着性ベルトの偏摩耗を抑制することである。
【課題を解決するための手段】
【０００６】
上記課題を解決するための本発明の第１の態様の記録装置は、被記録媒体を載置させる粘着性ベルトを有し、前記被記録媒体を間欠搬送可能な搬送機構と、前記粘着性ベルトの移動方向の上流側から下流側に向かって複数設けられ、前記粘着性ベルトを洗浄する洗浄部と、を備え、前記洗浄部間の距離は、前記被記録媒体の間欠搬送に伴う１回あたりの搬送距離と異なるうえ、前記被記録媒体の複数回の間欠搬送に伴ういずれの累積搬送距離とも異なることを特徴とする。
【０００７】
ここで、「前記洗浄部間の距離」とは、前記洗浄部各々における前記粘着性ベルトとの接触部分の前記移動方向の中点同士の、該移動方向の距離を意味する。例えば、前記洗浄部として該移動方向と交差する方向の回転軸を有する洗浄ローラーを各々使用する場合においては、各々の洗浄ローラーの回転中心間における前記移動方向の距離を「前記洗浄部間の距離」とすることができる。  
本態様によれば、前記洗浄部間の距離は、前記被記録媒体の間欠搬送に伴う１回あたりの搬送距離と異なるうえ、前記被記録媒体の複数回の間欠搬送に伴ういずれの累積搬送距離とも異なる。このため、前段の洗浄部により停止状態で洗浄される部分と後段の洗浄部により停止状態で洗浄される部分とが重なることがない。したがって、被記録媒体の間欠搬送に伴う粘着性ベルトの偏摩耗を抑制することが可能である。
【０００８】
本発明の第２の態様の記録装置は、前記第１の態様において、前記搬送機構は、前記被記録媒体を前記間欠搬送に伴う１回あたりの搬送距離として予め定められた１つの搬送距離で搬送可能であり、前記洗浄部間の距離は、前記１つの搬送距離の非整数倍であることを特徴とする。
【０００９】
本態様によれば、前記被記録媒体を前記間欠搬送に伴う１回あたりの搬送距離として予め定められた１つの搬送距離で搬送可能な記録装置において、前段の洗浄部により停止状態で洗浄される部分と後段の洗浄部により停止状態で洗浄される部分とが重なることを抑制し、被記録媒体の間欠搬送に伴う粘着性ベルトの偏摩耗を抑制することが可能である。
【００１０】
本発明の第３の態様の記録装置は、前記第１の態様において、前記搬送機構は、前記被記録媒体を前記間欠搬送に伴う１回あたりの搬送距離として予め定められた複数の搬送距離で搬送可能であり、前記洗浄部間の距離は、前記複数の搬送距離各々と異なるうえ、前記複数の搬送距離の何れの累積搬送距離とも異なることを特徴とする。
【００１１】
ここで、「前記被記録媒体を前記間欠搬送に伴う１回あたりの搬送距離として予め定められた複数の搬送距離で搬送可能」とは、１の記録モードで記録する場合と他の記録モードで記録する場合とで異なる搬送距離で搬送可能な構成のほか、１の記録モードで記録する場合の中で、異なる搬送距離で搬送可能な構成を含む意味である。  
本態様によれば、前記被記録媒体を前記間欠搬送に伴う１回あたりの搬送距離として予め定められた複数の搬送距離で搬送可能な記録装置において、前段の洗浄部により停止状態で洗浄される部分と後段の洗浄部により停止状態で洗浄される部分とが重なることを抑制し、被記録媒体の間欠搬送に伴う粘着性ベルトの偏摩耗を抑制することが可能である。
【００１２】
本発明の第４の態様の記録装置は、前記第３の態様において、前記搬送機構による前記複数の搬送距離に応じて、前記粘着性ベルトの洗浄の際に使用する洗浄部の数を変更可能であることを特徴とする。
【００１３】
本態様によれば、前記搬送機構による前記複数の搬送距離に応じて、前記粘着性ベルトの洗浄の際に使用する洗浄部の数を変更可能である。このため、例えば、該搬送距離が長い場合は、前記粘着性ベルトの移動速度が速くなり、前記粘着性ベルトの単位面積当たりの洗浄時間が短くなるため、多くの洗浄部で洗浄する。そして、該搬送距離が短い場合は、前記粘着性ベルトの移動速度が遅くなり、前記粘着性ベルトの単位面積当たりの洗浄時間が長くなるため、少ない洗浄部で洗浄して搬送負荷を軽減するとともに洗浄部の駆動負荷を軽減するということが可能になる。
【００１４】
本発明の第５の態様の記録装置は、前記第１から第４のいずれか１つの態様において、前記洗浄部間の距離を変更可能な前記洗浄部の移動機構を備えることを特徴とする。
【００１５】
本態様によれば、前記洗浄部間の距離を変更可能な前記洗浄部の移動機構を備える。このため、前記搬送機構による搬送距離に基づいて前記洗浄部間の距離をより好ましい距離に変更することができる。
【００１６】
本発明の第６の態様の記録装置は、前記第１から第５のいずれか１つの態様において、前記洗浄部は、前記粘着性ベルトの移動方向と交差する交差方向に回転軸を有し、前記粘着性ベルトに当接して洗浄する洗浄ローラーであって、複数の前記洗浄ローラーのうち少なくともいずれか１つは他と回転方向が逆であることを特徴とする。
【００１７】
本態様によれば、複数の前記洗浄ローラーのうち少なくともいずれか１つは他と回転方向が逆である。このため、複数の前記洗浄ローラーから前記粘着性ベルトにかかる力の向きが分散され、前記粘着性ベルトにかかる負荷を軽減することができる。
【００１８】
本発明の第７の態様の記録装置は、前記第１から第６のいずれか１つの態様において、複数の前記洗浄部は、各々種類が異なることを特徴とする。
【００１９】
本態様によれば、複数の前記洗浄部は、各々種類が異なる。このため、例えば、前段の洗浄部が粗方の洗浄をし、後段の洗浄部が仕上げの洗浄をするなど、複数の前記洗浄部に機能分担させることができる。  
なお、「種類が異なる」とは、例えば、洗浄ローラーと布ワイパーのように構造が異なるもののほか、大きさの異なる洗浄ローラーのように構造は同様で大きさや形状の異なるものも含む意味である。
【００２０】
本発明の第８の態様の記録装置は、前記第１から第７のいずれか１つの態様において、前記洗浄部は、前記粘着性ベルトの移動方向と交差する交差方向に回転軸を有し、前記粘着性ベルトに当接して洗浄する洗浄ローラーであって、複数の前記洗浄ローラー各々は、前記回転軸方向に複数のローラーが連結して構成され、前記複数のローラーの連結部の前記交差方向における位置は、前記洗浄ローラー各々で、ずらして設けられていることを特徴とする。
【００２１】
本態様によれば、前記複数のローラーの連結部の前記交差方向における位置は、前記洗浄ローラー各々で、ずらして設けられている。このため、一の洗浄ローラーで、前記複数のローラーの連結部において前記粘着性ベルトに対する前記洗浄ローラーの非接触部分が生じ、該非接触部分に起因する洗浄不良が発生しても、該洗浄不良部分を他の洗浄ローラーで洗浄することができ、前記粘着性ベルトに洗浄不良が発生することを抑制できる。
【図面の簡単な説明】
【００２２】
【図１】本発明の実施例１に係る記録装置を表す概略側面図。
【図２】本発明の実施例１に係る記録装置のブロック図。
【図３】本発明の実施例１に係る記録装置の複数の洗浄ローラー間の距離を表す概略側面図。
【図４】本発明の実施例１に係る記録装置の複数の洗浄ローラー間の距離を表す概略側面図。
【図５】本発明の実施例１に係る記録装置の洗浄ローラーを記録装置の底面側から見た概略図。
【図６】本発明の実施例２に係る記録装置の洗浄ローラーを記録装置の底面側から見た概略図。
【発明を実施するための形態】
【００２３】
［実施例１］（図１〜図５）  
以下に、本発明の実施例に係る記録装置について、添付図面を参照して詳細に説明する。  
最初に、本発明の実施例１に係る記録装置について説明する。  
図１は本発明の実施例１に係る記録装置１の概略側面図を表している。
【００２４】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送機構３を備えている。また、被記録媒体Ｐの搬送方向Ａと交差する交差方向Ｂに記録ヘッド７を往復走査させて記録する記録機構４を備えている。また、粘着性ベルト１０の洗浄部としての洗浄ローラー１３ａ及び１３ｂを有する洗浄機構１５を備えている。さらに、被記録媒体Ｐを巻き取る巻取軸１７と巻き取られている被記録媒体Ｐを切断するカッター１６とを有する巻取機構１８を備えている。
【００２５】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。被記録媒体Ｐを搬送機構３に繰り出す際、回転軸５は回転方向Ｃ１に回転する。なお、本実施例の記録装置１は被記録媒体Ｐとしてロール式の被記録媒体を使用しているが、このようなロール式の被記録媒体を使用する記録装置に限定されない。
【００２６】
搬送機構３は、繰出部２から繰り出された被記録媒体Ｐを載置して搬送する粘着性ベルト１０と、粘着性ベルト１０を移動させる搬送ローラー８と従動ローラー９を備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃ１に回転する。これに伴い、粘着性ベルト１０は移動方向Ｅに移動する。
【００２７】
記録機構４は、記録ヘッド７と該記録ヘッド７を搭載する不図示のキャリッジと、該キャリッジを交差方向Ｂに往復移動させるキャリッジモーター２６（図２参照）を有している。なお、図１において交差方向Ｂは紙面に対して垂直方向である。  
記録の際、記録ヘッド７を往復走査させて記録するが、記録走査中（記録ヘッド７の移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。
【００２８】
粘着性ベルト１０の洗浄機構１５は、粘着性ベルト１０の移動方向Ｅの上流側から下流側に向かって複数設けられる洗浄部であって、粘着性ベルト１０の移動方向Ｅと交差する方向（交差方向Ｂ）に回転軸を有する洗浄ローラー１３ａ及び１３ｂを有する。また、洗浄ローラー１３ａ及び１３ｂに付着したインク等を洗浄するための洗浄剤が入ったトレイ１４を有する。  
なお、後述するが、洗浄ローラー１３ａ及び１３ｂ間の距離Ｄは、被記録媒体Ｐの間欠搬送に伴う１回あたりの搬送距離と異なるうえ、被記録媒体Ｐの複数回の間欠搬送に伴ういずれの累積搬送距離とも異なる。ここで、洗浄ローラー１３ａ及び１３ｂ間の距離Ｄとは、詳細には各々の洗浄ローラーの回転中心間の距離である。
【００２９】
また、本実施例の洗浄ローラー１３ａは、粘着性ベルト１０の洗浄の際、回転方向Ｃ２に回転する。一方、本実施例の洗浄ローラー１３ｂは、粘着性ベルト１０の洗浄の際、回転方向Ｃ１に回転する。別の表現をすると、複数の洗浄ローラー１３ａ及び１３ｂのうち少なくともいずれか１つは他と回転方向が逆である。このため、複数の洗浄ローラー１３ａ及び１３ｂから粘着性ベルト１０にかかる力の向きが分散され、粘着性ベルト１０にかかる負荷を軽減することができる構成になっている。ただし、このような構成に限定されない。
【００３０】
また、本実施例の粘着性ベルト１０の洗浄機構１５は、洗浄ローラー１３ａ及び１３ｂの移動機構１９を備えている。洗浄ローラー１３ａ及び１３ｂの移動機構１９は、洗浄ローラー１３ａ及び１３ｂ間の距離Ｄを変更可能である。このような構成により、複数の搬送距離で被記録媒体Ｐを搬送可能な記録装置において、該複数の搬送距離のうち使用される搬送距離に基づいて距離Ｄをより好ましい距離に変更することができる。また、洗浄ローラー１３ａ及び１３ｂを粘着性ベルト１０と接近及び離間する方向にも移動可能である。このため、粘着性ベルト１０の洗浄の際に使用しない洗浄ローラーを粘着性ベルト１０から離間させて、粘着性ベルト１０の洗浄の際に使用する洗浄ローラーの数を変更可能である。さらに、洗浄ローラー１３ａ及び１３ｂの移動機構１９は、洗浄ローラー１３ａ及び１３ｂ間の距離Ｄを保ったまま洗浄ローラー１３ａ及び１３ｂを粘着性ベルト１０の移動方向Ｅに沿って移動可能である。ただし、このような構成に限定されない。
【００３１】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００３２】
次に、本実施例の記録装置１における電気的な構成について説明する。  
図２は、本実施例の記録装置１のブロック図である。  
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。また、ＣＰＵ２１は、システムバス２２を介して、記録ヘッド７を駆動するためのヘッド駆動部２５と接続されている。
【００３３】
また、ＣＰＵ２１は、システムバス２２を介して、キャリッジモーター２６、洗浄ローラーモーター２７、洗浄ローラー移動モーター２８、搬送モーター２９、繰出モーター３０及び巻取モーター３１を駆動させるためのモーター駆動部３２と接続されている。  
ここで、キャリッジモーター２６は、記録ヘッド７を搭載したキャリッジを移動させるためのモーターである。また、洗浄ローラーモーター２７は、洗浄ローラー１３ａ及び１３ｂを回転駆動するためのモーターである。また、洗浄ローラー移動モーター２８は、洗浄ローラー１３ａ及び１３ｂの移動機構１９を駆動するためのモーターである。また、搬送モーター２９は、搬送ローラー８を駆動するためのモーターである。また、繰出モーター３０は、回転軸５の回転機構であり、被記録媒体Ｐを搬送機構３に繰り出すために回転軸５を駆動するモーターである。そして、巻取モーター３１は、巻取軸１７を回転させるための駆動モーターである。
【００３４】
さらに、ＣＰＵ２１は、記録装置１に設けられたモニター３３及びコントロールパネル３４と、記録データ等をＰＣ等の外部装置から入力する等のためのインターフェース３５と、データ及び信号の送受信を行うための入出力部３６と接続されている。
【００３５】
本実施例の搬送機構３は、被記録媒体Ｐの間欠搬送に伴う１回あたりの搬送距離として予め定められた１つの搬送距離で搬送可能である。また、被記録媒体Ｐの間欠搬送に伴う１回あたりの搬送距離として予め定められた別の複数の搬送距離でも搬送可能である。制御部２０は、このような被記録媒体Ｐの間欠搬送において、搬送機構３の制御を行う。
【００３６】
また、制御部２０は、洗浄ローラー１３ａ及び１３ｂの移動機構１９を制御して、前記搬送距離に応じて、粘着性ベルト１０の洗浄の際に使用する洗浄ローラー１３ａ及び１３ｂの数を変更することが可能である。なお、粘着性ベルト１０の洗浄に使用しない洗浄ローラーについては、該洗浄ローラーを粘着性ベルト１０から離間させて該洗浄ローラーの回転を止めることや、離間させていない状態で該洗浄ローラーの回転を粘着性ベルト１０の移動に従動させることができる。ただしこのような構成に限定されない。
【００３７】
次に、被記録媒体Ｐの間欠搬送に伴う１回あたりの搬送距離と複数の洗浄ローラー１３ａ及び１３ｂ間の距離Ｄとの関係について詳細に説明する。  
図３は、本実施例の記録装置１の洗浄ローラー１３ａ及び１３ｂ間の距離Ｄと、被記録媒体Ｐの間欠搬送に伴う１回あたりの搬送距離として予め定められた１つの搬送距離Ｌ０で搬送する場合の該搬送距離Ｌ０と、の関係を表す概略側面図である。  
本実施例の記録装置１では、洗浄ローラー１３ａ及び１３ｂ間の距離Ｄは、搬送距離Ｌ０の非整数倍である。このため、被記録媒体Ｐを搬送距離Ｌ０で搬送する場合において、洗浄ローラー１３ａにより停止状態で洗浄される部分と洗浄ローラー１３ｂにより停止状態で洗浄される部分とが重なることを抑制し、被記録媒体Ｐの間欠搬送に伴う粘着性ベルト１０の偏摩耗を抑制することが可能である。
【００３８】
図４は、本実施例の記録装置１の洗浄ローラー１３ａ及び１３ｂ間の距離Ｄと、被記録媒体Ｐの間欠搬送に伴う１回あたりの搬送距離として予め定められた複数の搬送距離Ｌ１、Ｌ２、Ｌ３及びＬ４で搬送する場合の該搬送距離Ｌ１、Ｌ２、Ｌ３及びＬ４と、の関係を表す概略側面図である。  
本実施例の記録装置１では、洗浄ローラー１３ａ及び１３ｂ間の距離Ｄは、前記複数の搬送距離Ｌ１、Ｌ２、Ｌ３及びＬ４各々と異なるうえ、前記複数の搬送距離Ｌ１、Ｌ２、Ｌ３及びＬ４の何れの累積搬送距離とも異なる。例えば、Ｌ１＋Ｌ２、Ｌ１＋Ｌ２＋Ｌ３、Ｌ１＋Ｌ２＋Ｌ３＋Ｌ４、Ｌ１＋Ｌ２＋Ｌ３＋Ｌ４＋Ｌ１、Ｌ１＋Ｌ２＋Ｌ３＋Ｌ４＋Ｌ１＋Ｌ２等の全ての累積搬送距離と、洗浄ローラー１３ａ及び１３ｂ間の距離Ｄは異なる。このため、被記録媒体Ｐを前記複数の搬送距離Ｌ１、Ｌ２、Ｌ３及びＬ４を組み合わせて搬送する場合において、洗浄ローラー１３ａにより停止状態で洗浄される部分と洗浄ローラー１３ｂにより停止状態で洗浄される部分とが重なることを抑制し、被記録媒体Ｐの間欠搬送に伴う粘着性ベルト１０の偏摩耗を抑制することが可能である。  
なお、本実施例の記録装置１は、前記複数の搬送距離Ｌ１、Ｌ２、Ｌ３及びＬ４を組み合わせて搬送させることのほか、前記複数の搬送距離Ｌ１、Ｌ２、Ｌ３及びＬ４の各々の搬送距離で搬送させることも可能である。そして、本実施例の記録装置１では、洗浄ローラー１３ａ及び１３ｂ間の距離Ｄは、搬送距離Ｌ１、Ｌ２、Ｌ３及びＬ４の各々の非整数倍である。
【００３９】
次に、本実施例の洗浄ローラー１３ａ及び１３ｂについて詳細に説明する。  
図５は、本実施例の洗浄ローラー１３ａ及び１３ｂを記録装置１の底面側から見た概略図である。  
本実施例の洗浄ローラー１３ａ及び１３ｂは共に、粘着性ベルト１０に接触するブラシ部３７と、粘着性ベルト１０の移動方向Ｅと交差する交差方向Ｂに沿う回転軸を形成する軸部３８と、からなる複数のローラー３９が、回転軸方向である交差方向Ｂに連結して構成される。
【００４０】
本実施例の洗浄ローラー１３ａ及び１３ｂは同じ大きさのローラー３９により構成され、ローラー３９の連結部４０にはスペースＳが空いている。しかしながら、複数のローラー３９の連結部４０の交差方向Ｂにおける位置は、洗浄ローラー１３ａ及び１３ｂ各々で、ずらして設けられている。このような構成により、本実施例の記録装置１は、前段の洗浄ローラー１３ａで、複数のローラー３９の連結部４０において粘着性ベルト１０に対する洗浄ローラー１３ａの非接触部分が生じ、該非接触部分に起因する洗浄不良が発生しても、該洗浄不良部分を後段の洗浄ローラー１３ｂで洗浄することができ、粘着性ベルト１０に洗浄不良が発生することを抑制できる。
【００４１】
［実施例２］（図６）  
次に、本発明の実施例２に係る記録装置について説明する。  
図６は本発明の実施例２に係る記録装置１の洗浄ローラー１３ｃ及び１３ｂを記録装置１の底面側から見た概略図である。なお、上記実施例と共通する構成部材は同じ符号で示しており、詳細な説明は省略する。
【００４２】
本実施例の記録装置１は、各々種類が異なる複数の洗浄部を備える点で実施例１の記録装置１と相違する。  
本実施例の記録装置１は、洗浄ローラー１３ａの代わりに洗浄ローラー１３ｃを備えている。洗浄ローラー１３ｃは、回転軸方向である交差方向Ｂの長さがローラー３９の２倍の長さであるローラー４１で構成されている点で洗浄ローラー１３ａと相違する。なお、本実施例の記録装置１においても、洗浄ローラー１３ｃ及び洗浄ローラー１３ｂにおける連結部４０の交差方向Ｂにおける位置は、洗浄ローラー１３ｃ及び１３ｂ各々で、ずらして設けられている。このため、本実施例の記録装置１も実施例１の記録装置と同様、前段の洗浄ローラー１３ｃで、複数のローラー３９の連結部４０において粘着性ベルト１０に対する洗浄ローラー１３ｃの非接触部分が生じ、該非接触部分に起因する洗浄不良が発生しても、該洗浄不良部分を後段の洗浄ローラー１３ｂで洗浄することができ、粘着性ベルト１０に洗浄不良が発生することを抑制できる。
【００４３】
なお、本実施例の記録装置１は、種類の異なる洗浄部として、形状の異なるローラーを有する洗浄ローラーを有しているが、このような構成に限定されない。例えば、種類の異なる洗浄部として、洗浄ローラーと布ワイパー等とを組み合わせてもよい。  
本実施例の記録装置１のように種類の異なる洗浄部を使用することによって、例えば、前段の洗浄部が粗方の洗浄をし、後段の洗浄部が仕上げの洗浄をするなど、複数の前記洗浄部に機能分担させることができる。
【００４４】
［その他の実施例］  
なお、実施例１及び２の記録装置１は何れも洗浄部としての洗浄ローラーを２つ備えているが、洗浄部として布ワイパーなどの洗浄ローラー以外の洗浄部を有していてもよく、また、洗浄部を３つ以上備える構成であってもよい。
【符号の説明】
【００４５】
１  記録装置、２  繰出部、３  搬送機構、４  記録機構、５  繰出部２の回転軸、
６  従動ローラー、７  記録ヘッド、８  搬送ローラー、９  従動ローラー、
１０  粘着性ベルト、１１  従動ローラー、１２  加圧ローラー、
１３ａ〜１３ｃ  洗浄ローラー（洗浄部）、１４  トレイ、１５  洗浄機構、
１６  カッター、１７  巻取軸、１８  巻取機構、１９  洗浄ローラーの移動機構、
２０  制御部、２１  ＣＰＵ、２２  システムバス、２３  ＲＯＭ、２４  ＲＡＭ、
２５  ヘッド駆動部、２６  キャリッジモーター、２７  洗浄ローラーモーター、
２８  洗浄ローラー移動モーター、２９  搬送モーター、３０  繰出モーター、
３１  巻取モーター、３２  モーター駆動部、３３  モニター、
３４  コントロールパネル、３５  インターフェース、３６  入出力部、
３７  ブラシ部、３８  軸部、３９  ローラー、４０  連結部、４１  ローラー、
Ｄ  洗浄ローラー間の距離、Ｆ  支持面、Ｌ０〜Ｌ４  搬送距離、Ｐ  被記録媒体、
Ｓ  スペース
【図１】
2014185029.tif 000003
【図２】
2014185029.tif 000004
【図３】
2014185029.tif 000005
【図４】
2014185029.tif 000006
【図５】
2014185029.tif 000007
【図６】
2014185029.tif 000008